(57)【要約】      （修正有）【課題】簡単な構成で、材料にアルミダイカストや合成樹脂成型品を用いた構成材料であっても、十分なフリクショントルクを創出でき、使用中に底抜けが生じたり、破断されてしまうことのない強度を備えた、テレビジョンなど回転支持装置に用いる回転ユニット装置並びに回転支持装置を提供する。【解決手段】ヒンジシャフト８で回転可能に連結する固定筒体６及び又は回転筒体７の上部円盤部６ａと下部円盤部７ａに設けた下部内部筒体６ｂ及び又は上部内部筒体７ｂ内部に、前記ヒンジシャフト８を挿通させる挿通孔を有し、その外周部から折り曲げて設けた複数の係止片１３ｂに設けた係止部を、前記下部内部筒体６ｂ及び又は上部内部筒体７ｂに係止させた補強部材１３を取り付ける。【選択図】図９
2014222087.tif 000002
【特許請求の範囲】
【請求項１】
上部円盤部と、この上部円盤部に設けた挿通孔を囲んでその下方へ垂設させた下部内部筒体と、この下部内部筒体の外周に所定間隔を空けて前記上部円盤部より下方へ垂設させた下部外部筒体と、この下部外部筒体と前記下部内部筒体との間を連結する複数の外側リブとを有し、ベース部材に取り付けられる固定筒体と、
下部円盤部と、この下部円盤部より上方へ立設させた上部内部筒体と、この上部内部筒体の外周に所定間隔を空けて前記下部円盤部より上方へ立設させた上部外部筒体と、この上部外部筒体と前記上部内部筒体との間を連結する複数の外側リブと、前記下部円盤部より垂設され前記上部円盤部に設けた挿通孔を貫通して前記下部内部筒体内に突出させた下部筒体とを有し、支持部材に取り付けられる回転筒体と、
前記下部筒体を貫通して前記固定筒体と前記回転筒体を相対的に回転可能に連結するヒンジシャフトと、
このヒンジシャフトに装着させて前記回転筒体の回転時に前記固定筒体と前記回転筒体との間にフリクショントルクを創出させるフリクション機構と、から成り、
前記固定筒体の下部内部筒体内の前記上部円盤部及び又は前記回転筒体の下部内部筒体内の下部円盤部に直接及び又は間接的に接して補強部材を設け、この補強部材に設けた係止片を前記下部内部筒体及び又は上部内部筒体に係止させたことを特徴とする、回転ユニット装置。
【請求項２】
前記ヒンジシャフトは、雄ネジ部とナット部を有し、前記雄ネジ部を前記回転筒体の下部筒体に設けた雌ネジ孔にネジ着させたことを特徴とする、請求項１に記載の回転ユニット装置。
【請求項３】
前記フリクション機構を、前記ヒンジシャフトをその挿通孔に挿通させて前記固定筒体の上部円盤部に係止させた第１フリクションワッシャーと、この第１フリクションワッシャーに当接させてその挿通孔に前記ヒンジシャフトを挿通させて前記回転筒体の下部円盤部に係止させた第２フリクションワッシャーと、前記上部円盤部の下面側に直接または間接的に接して前記下部筒体に固定させた第３フリクションワッシャーと、この第３フリクションワッシャーに接して前記ヒンジシャフトの装着させた弾性手段とで構成したことを特徴とする、請求項１に記載の回転ユニット装置。
【請求項４】
前記固定筒体の上部円盤部と前記回転筒体の下部円盤部との間には、前記第１フリクションワッシャーと前記第２フリクションワッシャーを挿通孔に収容させて前記上部円盤部に固定させた、スペーサーワッシャーを介在させたことを特徴とする、請求項２に記載の回転ユニット装置。
【請求項５】
前記補強部材は、その縁部から折り曲げて設けた複数の係止片の係止部を前記下部内部筒体及び又は上部内部筒体の内壁に設けた係止用リブに係止させて成ることを特徴とする、請求項１に記載の回転ユニット装置。
【請求項６】
前記補強部材は、その縁部から折り曲げて設けた複数の係止片の係止部を前記下部内部筒体及び又は上部内部筒体の開放端側に係止させて成ることを特徴とする、請求項１に記載の回転ユニット装置。
【請求項７】
前記補強部材は、その縁部から折り曲げて設けた複数の係止片の係止部を前記下部内部筒体及び又は上部内部筒体の開放端側及び又は前記外側リブに係止させて成ることを特徴とする、請求項１に記載の回転ユニット装置。
【請求項８】
前記補強部材は、その縁部から折り曲げて設けた複数の係止片の係止部を前記下部内部筒体及び又は上部内部筒体の内壁に設けた係止用リブ及び又は前記下部内部筒体及び又は上部内部筒体の開放端側に係止させて成ることを特徴とする、請求項１に記載の回転ユニット装置。
【請求項９】
請求項１〜８に各記載の回転ユニット装置を用いたことを特徴とする、テレビジョンなどの回転支持装置。
【発明の詳細な説明】
【技術分野】
【０００１】
本発明は、載置台上に置いたとくに平面型のテレビジョン受像機、平面型ディスプレイ装置、或は音響機器などを水平左右方向へ回転可能に支持する回転ユニット装置並びに回転支持装置に関するものである。
【背景技術】
【０００２】
とくに平面型のテレビジョン受像機（以下テレビジョンという）を、載置台上で水平左右方向へ回転可能に支持する回転支持装置の回転ユニット装置として、下記特許文献１に記載されたものが公知である。
【０００３】
この特許文献１に記載のテレビジョンの回転ユニット装置は、テレビジョンを支持するモニター載置台に取り付けたポールと、このポールの下面に接して組み付けられたアッパーブッシュと、このアッパーブッシュの下面に接して組み付けられた取付ベースと、この取付ベースの下面に接して組み付けられるローアブッシュと、このローアッブッシュの下面に接して組み込まれたスプリング板と、このスプリング板の下面に接して組み込まれたバックプレートと、前記アッパーブッシュ、前記取付ベース、前記ローアブッシュ、前記スプリング板、及び前記バックプレートを前記ポールに組み付けて一体化する固定ボルトとで構成されている。
【先行技術文献】
【特許文献】
【０００４】
【特許文献１】特開２００６−２２７３９０号公報
【発明の概要】
【発明が解決しようとする課題】
【０００５】
上記特許文献１に記載された回転ユニット装置は、とくにその図９と図１３に示したように、ローアブッシュが取付ベースの上面プレートの下側に当接しているのみであったので、テレビジョンが左右端部のいずれかの側から下押し或は上押しされる圧力を受けた場合には、上面プレートがローアブッシュの部分で底抜けしてしまったり、破断されてしまう場合を生じた。
【０００６】
本発明は上記の問題点を解決するためなされたものであり、その目的とするところは、簡単な構成で、材料にアルミダイカストや合成樹脂成型品を用いた構成材料であっても、十分なフリクショントルクを創出でき、使用中に底抜けが生じたり、破断されてしまうことのない強度を備えた、テレビジョンなど回転支持装置に用いる回転ユニット装置並びに回転支持装置を提供せんとするにある。
【課題を解決するための手段】
【０００７】
前記目的を達成するために、請求項１に係る発明は、上部円盤部と、この上部円盤部に設けた挿通孔を囲んでその下方へ垂設させた下部内部筒体と、この下部内部筒体の外周に所定間隔を空けて前記上部円盤部より下方へ垂設させた下部外部筒体と、この下部外部筒体と前記下部内部筒体との間を連結する複数の外側リブとを有し、ベース部材に取り付けられる固定筒体と、下部円盤部と、この下部円盤部より上方へ立設させた上部内部筒体と、この上部内部筒体の外周に所定間隔を空けて前記下部円盤部より上方へ立設させた上部外部筒体と、この上部外部筒体と前記上部内部筒体との間を連結する複数の外側リブと、前記下部円盤部より垂設され前記上部円盤部に設けた挿通孔を貫通して前記下部内部筒体内に突出させた下部筒体とを有し、支持部材に取り付けられる回転筒体と、前記下部筒体を貫通して前記固定筒体と前記回転筒体を相対的に回転可能に連結するヒンジシャフトと、このヒンジシャフトに装着させて前記回転筒体の回転時に前記固定筒体と前記回転筒体との間にフリクショントルクを創出させるフリクション機構と、から成り、前記固定筒体の下部内部筒体内の前記上部円盤部及び又は前記回転筒体の下部内部筒体内の下部円盤部に直接及び又は間接的に接して補強部材を設け、この補強部材に設けた係止片を前記下部内部筒体及び又は上部内部筒体に係止させたことを特徴とする。
【０００８】
請求項２に係る発明は、請求項１のヒンジシャフトを、雄ネジ部とナット部を有するものとし、前記雄ネジ部を前記回転筒体の下部筒体に設けた雌ネジ孔にネジ着させたことを特徴とする。
【０００９】
請求項３に係る発明は、請求項１に係る発明の、前記フリクション機構を、前記ヒンジシャフトをその挿通孔に挿通させて前記固定筒体の上部円盤部に係止させた第１フリクションワッシャーと、この第１フリクションワッシャーに当接させてその挿通孔に前記ヒンジシャフトを挿通させて前記回転筒体の下部円盤部に係止させた第２フリクションワッシャーと、前記上部円盤部の下面側に直接または間接的に接して前記下部筒体に固定させた第３フリクションワッシャーと、この第３フリクションワッシャーに接して前記ヒンジシャフトの装着させた弾性手段とで構成したことを特徴とする。
【００１０】
請求項４に係る発明は、請求項２に係る発明の、前記固定筒体の上部円盤部と前記回転筒体の下部円盤部との間には、前記第１フリクションワッシャーと前記第２フリクションワッシャーを挿通孔に収容させて前記上部円盤部に固定させた、スペーサーワッシャーを介在させたことを特徴とする。
【００１１】
請求項５に係る発明は、請求項１に係る発明の前記補強部材を、その縁部から折り曲げて設けた複数の係止片の係止部を前記下部内部筒体及び又は上部内部筒体の内壁に設けた係止用リブに係止させて成ることを特徴とする。
【００１２】
請求項６に係る発明は、請求項１に係る発明の、前記補強部材を、その縁部から折り曲げて設けた複数の係止片の係止部を前記下部内部筒体及び又は上部内部筒体の開放端側に係止させて成ることを特徴とする。
【００１３】
請求項７に係る発明は、請求項１に係る発明の、前記補強部材を、その縁部から折り曲げて設けた複数の係止片の係止部を前記下部内部筒体及び又は上部内部筒体の開放端側及び又は前記外側リブに係止させて成ることを特徴とする。
【００１４】
請求項８に係る発明は、請求項１に係る発明の、前記補強部材を、その縁部から折り曲げて設けた複数の係止片の係止部を前記下部内部筒体及び又は上部内部筒体の内壁に設けた係止用リブ及び又は前記下部内部筒体及び又は上部内部筒体の開放端側に係止させて成ることを特徴とする。
【００１５】
請求項９に係る発明は、請求項１〜８に係る発明の回転ユニット装置を、テレビジョンなどの回転支持装置に用いたことを特徴とする。
【発明の効果】
【００１６】
本発明は上記のように構成したので、重量のあるテレビジョンの回転ユニット装置並びに回転支持装置として、可及的に簡単な構成で、構成材料に合成樹脂成型品を用いても、必要なフリクショントルクを創出することができた上で、補強部材により十分な耐久性を保持できるものである。
【図面の簡単な説明】
【００１７】
【図１】本発明に係る回転ユニット装置の使用可能状態における斜視図である。
【図２】本発明に係る回転ユニット装置の斜視図である。
【図３】本発明に係る回転ユニット装置を下側から見た斜視図である。
【図４】本発明に係る回転ユニット装置の分解斜視図である。
【図５】本発明に係る回転ユニット装置を下側から見た分解斜視図である。
【図６】本発明に係る回転ユニット装置の第１補強部材を示し、（ａ）はその斜視図、（ｂ）はその平面図である。
【図７】本発明に係る回転ユニット装置の平面図である。
【図８】本発明に係る回転ユニット装置の底面図である。
【図９】本発明に係る回転ユニット装置の縦断面図である。
【図１０】本発明に係る回転ユニット装置の他の実施例を示す斜視図である。
【図１１】図１０に示した回転ユニット装置を下側から見た斜視図である。
【図１２】図１０に示した回転ユニット装置の第２補強部材の斜視図である。
【図１３】図１０に示した回転ユニット装置の第３補強部材の斜視図である。
【図１４】図１０に示した回転ユニット装置の縦断面図である。
【図１５】本発明に係る回転ユニット装置のさらに他の実施例を示す斜視図である。
【図１６】図１５に示した回転ユニット装置を下側から見た斜視図である。
【図１７】図１５に示した回転ユニット装置の縦断面図である。
【図１８】本発明に係る回転ユニット装置のさらに他の実施例を示す斜視図である。
【図１９】図１８に示した回転ユニット装置を下側から見た斜視図である。
【図２０】図１８に示した回転ユニット装置第４補強部材と第５補強部材の使用状態を説明する斜視図である。
【図２１】図１８に示した回転ユニット装置の縦断面図である。
【発明を実施するための形態】
【００１８】
以下、本発明に係る回転ユニット装置の最良の実施形態を図面に基づいて説明する。以下に平面型ディスプレイ装置の１例として平面型テレビジョンに実施した場合について説明するが、本発明に係る回転ニット装置は、他にも平面型モニターテレビ、タブレット型ディスプレイ装置、音響機器などに実施することができるものである。したがって、本明細書、特許請求の範囲で、テレビジョンなどという場合は、平面型テレビジョン以外に上記した平面型モニターテレビ、タブレット型ディスプレイ装置、音響機器などを含んでいる。
【００１９】
図１は、本発明に係る回転ユニット装置の使用例を示す斜視図である。図面によれば本発明に係る回転ユニット装置１は、液晶を用いた平面型のテレビジョン２の回転支持装置３のベース部材４とブラケット５の間に用いられている。
【実施例１】
【００２０】
図１〜図９は、本発明に係る回転ユニット装置の実施例１を示す。図面によれば、実施例１に係る回転ユニット装置１は、ベース部材４上に固定される固定筒体６と、この固定筒体６上にヒンジシャフトを介して回転可能に取り付けられたところのブラケット５側に固定された回転筒体７と、ヒンジシャフト８に組み付けられて固定筒体６と回転筒体７の間にフリクショントルクを創出させるフリクション機構９と、固定筒体６及び又は回転筒体７の底抜けや破断を防止する補強部材１３で構成されている。
【００２１】
ベース部材４は平面矩形状を呈したプレート状のもので、固定筒体６を取り付けられるものであれば、その形状や構造に限定はない。このベース部材４は、図示してないが、テレビジョンなどの載置台上に置かれるものである。ブラケット５は、回転筒体７の上部に取り付けられる取付プレート部５ａと、この取付プレート部５ａに取り付けられた支持部材５ｂとで構成されており、支持部材５ｂにテレビジョン２が取り付けられる構成である。尚、このブラケット５の形状や構成については、実施例のものに限定されない。それは他の様々な形状と構成のものが考えられる。
【００２２】
固定筒体６は、アルミダイカスト製、或は合成樹脂製の筒状のものであり、その上部を覆う上部円盤部６ａから下方へ一体に形成された下部内部筒体６ｂと、この下部内部筒体６ｂの外側に同じく上部円盤部６ａより一体且つ下部内部筒体６ｂに対して同心状に垂設された下部外部筒体６ｃと、この下部外部筒体６ｃと下部内部筒体６ｂとの間を放射状に連結する複数の外側リブ６ｄ、６ｄ・・・とで構成されており、上部円盤部６ａには、下部内部筒体６ｂと同心状に設けられた挿通孔６ｅと、この挿通孔６ｅの上面周囲に設けられたリング状凸部６ｆと、上部円盤部６ａの外周部に対向位置に対置して設けられた弧状溝部６ｇ、６ｇと、同じくその外周近くに９０度間隔で設けられた４個の突起部６ｈ、６ｈ・・と、この突起部６ｈ、６ｈ・・の内側に同じく９０度間隔で設けられた４個の係止孔部６ｉ、６ｉ・・が設けられている。また、外側リブ６ｄ、６ｄ・・・の９０度間隔に位置するものは膨出部を有し、この膨出した部分に雌ネジ孔６ｊ、６ｊ・・が設けられると共に、下部内部筒体６ｂの内側の上部円盤部６ａ側には、９０度間隔で円周方向に延びる係止用リブ６ｋ、６ｋ・・が突設されている。
【００２３】
回転筒体７もアルミダイカスト製、或は合成樹脂製の筒状のものであり、その外形は固定筒体６とほぼ同じである。下端部側の固定筒体６の上部円盤部６ａと対向する部分には、下部円盤部７ａが設けられ、この下部円盤部７ａから上方へ一体に形成された上部内部筒体７ｂと、この上部内部筒体７ｂの外側に同じく下部円盤部７ａより一体且つ上部内部筒体７ｂに対して同心状に垂設された上部外部筒体７ｃと、この上部外部筒体７ｃと上部内部筒体７ｂとの間を放射状に連結する複数の外側リブ７ｄ、７ｄ・・とで構成されている。下部円盤部７ａにはさらに、上部内部筒体７ｂと同心状に設けられた雌ネジ孔７ｅと、この雌ネジ孔７ｅの下部に当該雌ネジ孔７ｅを延長した状態で設けられた下部筒体７ｆと、その外周部の対向位置に設けられた弧状凸部７ｇ、７ｇと、その外周近くに９０度間隔で設けられた４個の係止孔７ｈ、７ｈ・・とが設けられている。また、外側リブ７ｄ、７ｄ・・の９０度間隔に位置するものには膨出部が設けられ、この膨出部に雌ネジ孔７ｉ、７ｉ・・が設けられると共に、下部筒体７ｆの下部先端部分はその４方向を９０度間隔で削り取ることにより、係合部７ｊが設けられている。さらに、この回転筒体７の下部円盤部７ａの上面側には、雌ネジ孔７ｅの周りに上面が平坦なボス部７ｋが設けられており、このボス部７ｋと内部上部筒体７ｂとの間には４本の内側リブ７ｍ、７ｍ・・が放射状に設けられている。
【００２４】
ヒンジシャフト８は、例えばＳＵＳ製であり、実施例のものは頭部８ａを有する雄ネジ部８ｂとナット部８ｃで構成されている。このヒンジシャフト８は、図４と５及び図９に示したように、下部筒体７ｆの雌ネジ孔７ｅへ下方から雄ネジ部８ｂを挿入ネジ着し、回転筒体７の下部円盤部７ａを貫通しており、その上部先端にはナット部８ｃが取り付けられることによって、固定筒体６と回転筒体７を相対的に回転可能に連結する構成である。尚、このヒンジシャフト８は、必ずしもボルトではなくとも、通常のヒンジシャフトを用いて、端部をかしめるなどの公知の方法で固定筒体６と回転筒体７を連結するようにしてもよい。この場合には雌ネジ孔７ｅを通常の挿通孔に変えることが可能である。また、かしめに代えてナット部を取り付ける部分に雄ネジ部を設けるようにしてもよい。通常のヒンジシャフトの場合には下部筒体７ｆとの間に回り止め手段を設けることは必要に応じて実施することができよう。本願特許請求の範囲と明細書の中で、ヒンジシャフト８としているのは、この両者を含める意味である。また、ヒンジシャフト８の雄ネジ部８ｂを、回転筒体７の下部筒体７ｆに設けた雌ネジ孔７ｅにネジ着させた場合には、ナット部８ｃと合わせてダブルナット効果を発揮し、使用中におけるナット部８ｃの緩みを防止することができるものである。
【００２５】
フリクション機構９は、とくに図４と５及び図９に示したように、その中心部軸方向にヒンジシャフト８の雄ネジ部８ｂを挿通させた挿通孔１０ａを有し、固定筒体６の上部円盤部６ａに設けた係止孔部６ｉ、６ｉ・・にその縁部から下方へ折り曲げて形成させた４個の係止片１０ｂ、１０ｂ・・を挿入係合させつつ、挿通孔１０ａにリング状凸部６ｆを挿通させて設けた第１フリクションワッシャー１０と、その中心部軸方向に挿通孔１１ａを有し、第１フリクションワッシャー１０に圧接して、回転筒体７の下部円盤部７ａに設けた係止孔７ｈ、７ｈ・・にその縁部から上方へ折り曲げて形成させた係止片１１ｂ、１１ｂ・・を挿入係合させつつ設けた第２フリクションワッシャー１１と、その中心部軸方向に大径の挿通孔１２ａを有し、この挿通孔１２ａへ第１フリクションワッシャー１０と第２フリクションワッシャー１１を収容させつつ固定筒体６の上部円盤部６ａに設けた突起部６ｈ、６ｈ・・にその係止孔１２ｂ、１２ｂ・・を嵌合させて固定筒体６の上部円盤部６ａと回転筒体７の下部円盤部７ａとの間に介在させて設けたスペーサーワッシャー１２と、軸心部軸方向に設けた挿通孔１３ａに、回転筒体７より固定筒体６の上部円盤部６ａに設けた挿通孔６ｅを貫通して突出している下部筒体７ｆを挿通させて、上部円盤部６ａの下面に圧接している補強部材１３と、変形挿通孔１４ａを有し、この変形挿通孔１４ａを下部筒体７ｆの係合部７ｊと係合させつつ、この補強部材１３に圧接して設けられた第３フリクションワッシャー１４と、ヒンジシャフト８の雄ネジ部８ｂをそれぞれに設けた挿通孔１５ａ、１６ａ、１７ａに挿通させつつ、ヒンジシャフト８の頭部８ａと第３フリクションワッシャー１４との間に設けたスプリングワッシャー、或は皿バネ１５、１６、１７とで構成されており、ヒンジシャフト８のナット部８ｃを雄ネジ部８ｂに対して締め付けることにより、回転筒体７を水平左右方向へ回転させた際に、第１フリクションワッシャー１０と第２フリクションワッシャー１１との間、及び補強部材１３と第３フリクションワッシャー１４との間にフリクショントルクが創出されるように構成されている。尚、スペーサーワッシャー１２に設けた支持記号１２ｃ、１２ｃは、回転筒体７の弧状凸部７ｇ、７ｇを逃がすための切欠部である。
【００２６】
尚、補強部材１３には、その外周部に係止片１３ｂ、１３ｂ・・が約９０度間隔で４個立設されており、この各係止片１３ｂ、１３ｂ・・に設けた係止部１３ｃ、１３ｃ・・を固定筒体６の下部内部筒体６ｂの内周に設けた係止用リブ６ｋ、６ｋ・・に係止させている。
【００２７】
また、フリクション機構９の構成は、実施例のものコンパクトで安価な構成を有することから、安価に製造できる利点があるが、このものに限定されず、様々な公知構成或は新規な構成のフリクション機構が考えられる。さらに、第１フリクションワッシャー１０と第２フリクションワッシャー１１には、それぞれ潤滑油を貯めておく複数の油溜部１０ｃ、１０ｃ・・・と１１ｃ、１１ｃ・・・が放射状に設けられている。
【００２８】
さらに、スプリングワッシャー、或は皿バネ１５、１６、及び１７から成る弾性手段は、実施例のもののよう構成した場合には、コンパクトで安価は弾性手段を提供できるが、このものには限定されず、皿バネ、或はスプリングワッシャーの様々な組み合わせが考えられる。
【００２９】
次に、回転ユニット装置１の組み立て手順について説明する。まず、ヒンジシャフト８の雄ネジ部８ｂに、皿バネ１７、１６、１５、及び第３フリクションワッシャー１４、及び補強部材１３の順で軽圧入させる。この作業に前後して固定筒体６の上部円盤部６ａの上部に第１フリクションワッシャー１０を軽圧入させ、スペーサーワッシャー１２を固定筒体６の上部円盤部６ａの上部に装着させる。さらに、回転筒体７の下部円盤部７ａの下面に第２フリクションワッシャー１１を軽圧入させて、回転筒体７と第２フリクションワッシャー１１をセットにして、固定筒体６の上に重ねて下部筒体７ｆを固定筒体６の挿通孔６ｅへ挿入させる。この時に、第３フリクションワッシャー１４は、その変形挿通孔１４ａを係合部７ｊへ軽圧入される。
【００３０】
次いで、前記ヒンジシャフト８の雄ネジ部８ｂを下部筒体７ｆの雌ネジ孔７ｅへネジ着挿入させてやると、第１フリクションワッシャー１０と第２フリクションワッシャー１１、及び第３フリクションワッシャー１４と補強部材１３とが、皿バネ１５、１６、１７の弾力により互いに圧接させられることになる。その際に、雄ネジ部８ｂの上部が回転筒体７側の雌ネジ孔７ｅの上方へ突出するので、この突出した雄ネジ部８ｂにナット部８ｃをネジ着させて締め付けると、回転ユニット装置１の組み立てが完了する。次いで、固定筒体６の雌ネジ孔６ｊ、６ｊ・・に図示してない取付ビスを用いてベース部材４に固定筒体６を固着させ、回転筒体７の雌ネジ孔７ｉ、７ｉ・・へ図示してない取付ビスを用いてブラケット５の取付プレート部５ａを固着させると、回転支持装置３の組み立てが完了する。したがって、フリクショントルクは、ヒンジシャフト８の雄ネジ部８ｃを下部筒体７ｆの雌ネジ孔７ｅへネジ着挿入させることによって創出され、ナット部８ｃによる締め付けは緩み止めとなる。
【００３１】
ブラケット５の支持部材５ｂへテレビジョン２を取り付け、ベース部材４を図示してない載置台上に載置させ、テレビジョン２を水平左右方向へ回転させると、固定筒体６に対して回転筒体７が回転し、当該テレビジョン２は回転ユニット装置１を介して左右方向へ回転し、その時々において視聴者が望む方向へ画面を向けることができるものである。その際の回転操作は、回転筒体７が固定筒体６に対して回転することにより、回転筒体７と共に回転する第２フリクションワッシャー１１と第３フリクションワッシャー１４が、それぞれ固定筒体６に固定された第１フリクションワッシャー１０と補強部材１３との間にフリクショントルクを創出させ、フリクション機構９によって、しっくりとした操作感覚を操作者へ与えることができ、停止位置で安定した支持状態を保つことができるものである。また、回転角度は、回転筒体７の弧状凸部７ｇ、７ｇが固定筒体６の弧状溝部６ｇ、６ｇの中を移動することから、この弧状溝部６ｇ、６ｇの一端部側から他端部側までに規制されるものである。このように、弧状溝部６ｇ、６ｇと弧状凸部７ｇ、７ｇでストッパー手段を構成している。
【００３２】
さらに、スペーサーワッシャー１２は、フリクション機構９を構成しないが、回転時や静止時に外部から力が加わった場合に、固定筒体６の上部円盤部６ａと回転筒体７の下部円盤部７ａが互いに接触して傷つくことを防止するためのものである。
【００３３】
そして、使用中に、テレビジョン２の左右の上端部を上下方向へ押して回転ユニット装置１に無理な力が加わった場合にも、補強部材１３の各係止部１３ｃ、１３ｃ・・が係止用リブ６ｋ、６ｋ・・に係止されていることから、力を固定筒体６の下部内部筒体６ｂへ分散することにより、上部円盤部６ａが第３フリクションワッシャー１４の部分で底抜けしてしまったり、破断してしまうのを防止することができたものである。
【実施例２】
【００３４】
図１０〜図１４は他の実施例２を示す。図面によればこの実施例２に係る回転ユニット装置２１は、補強部材との構成が異なるのみで、他の構成は実施例１と同じであるので、その詳しい説明を省略する。また、指示記号の同じものは実施例１のものと同じ構成と作用効果を奏するものである。
【００３５】
この実施例２に係る回転ユニット装置２１の補強部材は、固定筒体２３の側に取り付けられる第１補強部材２４と、回転筒体２５の側に取り付けられる第２補強部材２６とで構成されている。第１補強部材２４は、固定筒体２３の上部円盤部２３ａの下側と、第３フリクションワッシャー１４との間に設けられており、ヒンジシャフト８の雄ネジ部８ｂを挿通させた挿通孔２４ａを有している点では、実施例１の補強部材１３と同じである。しかしながら、この実施例２に係る第１補強部材２４は、４本の係止片２４ｂ、２４ｂ・・が下部内部筒体２３ｂの下端部開放端側にまで伸び、これらの係止片２４ｂ、２４ｂ・・に設けた各係止部２４ｃ、２４ｃ・・を下部内部筒体２３ｂの下端部開放端側に設けた係止凹部２３ｃ、２３ｃ・・に係止させられている点で、実施例１の補強部材１３とは異なっている。
【００３６】
第２補強部材２６は、回転筒体２５の下部円盤部２５ａの上面側とヒンジシャフト８のナット部８ｃとの間に設けられている。この第２補強部材２６は、ヒンジシャフト８の雄ネジ部８ｂを挿通させる挿通孔２６ａを有すると共に、その外周部からは３本の係止片２６ｂ、２６ｂ・・が立設されており、この各係止片２６ｂ、２６ｂ・・に設けた各係止部２６ｃ、２６ｃ・・を、回転筒体２５の上部内部筒体２５ｂの上端部開放端側に設けた係止凹部２５ｃ、２５ｃ・・に係止させている。
【００３７】
したがって、この実施例２に係る回転ユニット装置２１は、実施例１で説明したように、上部円盤部２３ａと下部円盤部２５ａに無理な力が加わっても、その力を固定筒体２３の下部内部筒体２３ｂと回転筒体２５の上部内部筒体２５ｂに分散させることにより、雄ネジ部８ｂの部分で上部円盤部２３ａと下部円盤部２５ａは底抜けしてしまったり、破断してしまうことをさらに有効に防止することができるものである。
【実施例３】
【００３８】
図１５〜図１７は他の実施例３を示す。図面によればこの実施例３に係る回転ユニット装置３１は、補強部材が回転筒体の方へ追加された点が異なるのみで、他の構成は実施例１と同じであるので、その詳しい説明を省略する。また、指示記号の同じものは実施例１のものと同じ構成と作用効果を奏するものである。
【００３９】
この実施例３に係る回転ユニット装置３１の補強部材は、固定筒体３３の側に取り付けられる第１補強部材３４と、回転筒体３５の側に取り付けられる第２補強部材３６とで構成されている。第１補強部材３４は、実施例１の補強部材１３と同じ構成である。しかしながら、この実施例３に係る第１補強部材３４は、第３フリクションワッシャー１４と固定筒体３２の上部円盤部３２ａとの間に設けられている。この第１補強部材３４は、その中心部軸方向にヒンジシャフト８の雄ネジ部８ｂを挿通させた挿通孔３４ａを有すると共に、その外周部に係止片３４ｂ、３４ｂ・・が約９０度間隔で４個立設されており、この各係止片３４ｂ、３４ｂ・・に設けた係止部３４ｃ、３４ｃ・・を、固定筒体３３の下部内部筒体３３ｂの内周に設けた係止用リブ３３ｃ、３３ｃ・・係止させている点で、実施例１に係る補強部材１３と同じである。
【００４０】
第２補強部材３６は、回転筒体３５の下部円盤部３５ａの上面側とヒンジシャフト８のナット部８ｃとの間に設けられている。この第２補強部材３６は、ヒンジシャフト８の雄ネジ部８ｂを挿通させる挿通孔３６ａを有すると共に、その外周部からは３本の係止片３６ｂ、３６ｂ・・・が立設されており、この各係止片３６ｂ、３６ｂ・・に設けた各係止部３６ｃ、３６ｃ・・を上部内部筒体３５ｂの上端部開放端側に設けた係止凹部３５ｃ、３５ｃ・・に係止させている。
【００４１】
したがって、この実施例３に係る回転ユニット装置３１は、実施例１で説明したように、固定筒体３３の上部円盤部３３ａと回転筒体３５の下部円盤部３５ａに無理な力が加わっても、その力を固定筒体３３の下部内部筒体３３ｂと回転筒体３５の上部内部筒体３５ｂに分散させることにより、雄ネジ部８ｂの部分で上部円盤部３３ａと下部円盤部３５ａは底抜けしてしまったり、破断してしまうことをさらに有効に防止することができるものである。
【実施例４】
【００４２】
図１８〜図２１は他の実施例４を示す。図面によればこの実施例４に係る回転ユニット装置４１は、補強部材の構成が異なるのみで、他の構成は実施例１と同じであるので、その詳しい説明を省略する。また、指示記号の同じものは実施例１のものと同じ構成作用効果を奏するものである。
【００４３】
この実施例４に係る回転ユニット装置４１の補強部材は、固定筒体４３の側に取り付けられる第１補強部材４４と、回転筒体４５の側に取り付けられる第２補強部材４６とで構成されている。第１補強部材４４は、固定筒体４３の上部円盤部４３ａの下側と、第３フリクションワッシャー１４との間に設けられており、ヒンジシャフト８の雄ネジ部８ｂを挿通させる挿通孔４４ａを有している点では、実施例１の補強部材１３と同じである。しかしながら、この実施例４に係る第１補強部材４４は、２本ずつ形状の異なる４本の係止片４４ｂ、４４ｂと４４ｃ、４４ｃが下部内部筒体４３ｂの下端部開放端にまで伸び、係止片４４ｂ、４４ｂの各係止部４４ｄ、４４ｄは、下部内部筒体４３ｂの下端部開放端側に設けた係止凹部４３ｃ、４３ｃに係止させられているが、他の２本の係止片４４ｃ、４４ｃに設けた係止部４４ｅ、４４ｅは、下部内部筒体４３ｂの下端部開放端側と外側リブ４３ｄ、４３ｄに係止されている点で、実施例１の補強部材１３とは異なっている。
【００４４】
第２補強部材４６は、回転筒体４５の上部内部筒体４５ｂの内部で下部円盤部４５ａの上面側とヒンジシャフト８のナット部８ｃとの間に設けられている。この第２補強部材４６は、ヒンジシャフト８の雄ネジ部８ｂを挿通させる挿通孔４６ａを有している点では、実施例２の第２補強部材２６と同じである。しかしながら、この実施例４に係る第２補強部材４６は、形状の異なる１本の係止片４６ｂと２本の係止片４６ｃ、４６ｃが上部内部筒体４５ｂの上端部開放端にまで伸び、係止片４６ｂの係止部４６ｄは、上部内部筒体４５ｂの下端部開放端側に設けた係止凹部４５ｃに係止させられているが、他の２本の係止片４６ｃ、４６ｃに設けた係止部４６ｅ、４６ｅは、上部内部筒体４５ｂの下端部開放端側と外側リブ４５ｄ、４５ｄ・・に係止されている点で、実施例２に係る第２補強部材２６とは異なっている。
【００４５】
したがって、この実施例４に係る回転ユニット装置４１は、実施例１で説明したように、固定筒体４３の上部円盤部４３ａと回転筒体４５の下部円盤部４５ａに無理な力が加わっても、その力を固定筒体４３の下部内部筒体４３ｂ及び外側リブ４３ｄ、４３ｄと回転筒体４５の上部内部筒体４５ｂ及び外側リブ４５ｄ、４５ｄ・・に分散させることにより、より一層雄ネジ部８ｂの部分で上部円盤部４３ａと下部円盤部４５ａは底抜けしてしまったり、破断してしまうことを有効に防止することができるものである。
【００４６】
尚、以上の各実施例で、固定筒体の側に設けられる補強部材は、第３フリクションワッシャーとスプリングワッシャーから成る弾性手段との間に設けることができる。また、回転筒体の側に設けられる補強部材は、ナット部との間にワッシャーを介在させて設けることは任意に行うことができるものである。
【００４７】
さらに、以上の各実施例の固定筒体側と回転筒体側の各補強部材の組み合わせは、実施例のものに限定されない。それは適宜組み合わせが可能である。
【産業上の利用可能性】
【００４８】
本発明は、以上のように構成したので、平面型のテレビジョン受像機、平面型ディスプレイ装置、或は音響機器などの回転支持装置に用いる回転ユニット装置並びに回転支持装置として好適に用いられるものである。
【符号の説明】
【００４９】
１、２１、３１、４１  回転ユニット装置
２  テレビジョン
３  回転支持装置
４  ベース部材
５ｂ  支持部材
６、２３、３３、４３  固定筒体
６ａ、２３ａ、３３ａ、４３ａ  上部円盤部
６ｂ、２３ｂ、３３ｂ、４３ｂ  下部内部筒体
６ｃ  下部外部筒体
６ｄ、７ｄ、４３ｄ、４５ｄ  外側リブ
６ｅ、１０ａ、１１ａ、１２ａ、１３ａ、１５ａ、１６ａ、１７ａ、２４ａ、２６ａ、３４ａ、３６ａ、４４ａ、４６ａ  挿通孔
６ｊ、７ｅ、７ｉ  雌ネジ孔
６ｋ、３３ｃ  係止用リブ
７、２５、３５、４５  回転筒体
７ａ、２５ａ、３５ａ、４５ａ  下部円盤部
７ｂ、２５ｂ、３５ｂ、４５ｂ  上部内部筒体
７ｃ  上部外部筒体
７ｆ  下部筒体
８  ヒンジシャフト
８ｂ  雄ネジ部
８ｃ  ナット部
９  フリクション機構
１０  第１フリクションワッシャー
１０ｂ、１１ｂ、１３ｂ、２４ｂ、２６ｂ、３４ｂ、３６ｂ、４４ｂ、４４ｃ、４６ｂ、４６ｃ  係止片
１１  第２フリクションワッシャー
１２  スペーサーワッシャー
１３  補強部材
１３ｃ、２４ｃ、２６ｃ、３４ｃ、３６ｃ、４４ｄ、４４ｅ、４６ｄ、４６ｅ  係止部
１４  第３フリクションワッシャー
【図１】
2014222087.tif 000003
【図２】
2014222087.tif 000004
【図３】
2014222087.tif 000005
【図４】
2014222087.tif 000006
【図５】
2014222087.tif 000007
【図６】
2014222087.tif 000008
【図７】
2014222087.tif 000009
【図８】
2014222087.tif 000010
【図９】
2014222087.tif 000011
【図１０】
2014222087.tif 000012
【図１１】
2014222087.tif 000013
【図１２】
2014222087.tif 000014
【図１３】
2014222087.tif 000015
【図１４】
2014222087.tif 000016
【図１５】
2014222087.tif 000017
【図１６】
2014222087.tif 000018
【図１７】
2014222087.tif 000019
【図１８】
2014222087.tif 000020
【図１９】
2014222087.tif 000021
【図２０】
2014222087.tif 000022
【図２１】
2014222087.tif 000023